(57)【要約】【課題】  再生音声の音量と空調装置の発生音の音量との調和を合理的に図る。【解決手段】  空調装置９００によって温度調整を含む雰囲気調整が行われる音場空間へ出力される再生音声の音量ＲＡＶを、制御部１９０が音声信号処理部１２０から収集する。収集された再生音量ＲＡＶが再生音量値ＲＡＶ３以上であり、聴取者が特に明瞭に再生音声を聴取したいと考えられる部分を再生出力している場合には、温度検出部１７０による検出結果である聴取者が滞在する音場空間の気温ＳＰＴが、空調装置９００の設定温度ＴＧＴと大きく異ならない限り、空調発生音の音量を抑制するための風量の抑制制御を、制御部１９０が空調装置９００に対して行う。この結果、空調装置９００の発生音量の必然性を考慮しつつ、聴取者が特に明瞭に再生音声を聴取したいと考えられる部分の再生音声が、極力明瞭な態様で聴取者に提供される。【選択図】  図１
2010175085.tif 000002
【特許請求の範囲】
【請求項１】
空調装置によって温度調整を含む雰囲気調整が行われる音場空間へ再生音声を出力する音響装置であって、
前記空調装置の調整設定温度、前記空調装置の前記音場空間に対する発生音量又は前記発生音量と相関のある情報、及び、前記音場空間の気温を取得する第１取得手段と；
前記再生音声の音量を取得する第２取得手段と；
前記第１及び第２取得手段による取得結果に基づいて、前記空調装置において風量調節を行うモータファンの回転速度の制御を行う制御手段と；を備え、
前記制御手段は、
前記第１取得手段により取得された前記調整設定温度と前記音場空間の気温との差が所定の温度差以上であるか否かを判定する第１判定と、
前記第１判定の結果が否定的であった場合に、前記再生音声が第１所定音量以上であるか否かを判定する第２判定と、
前記第２判定の結果が肯定的であった場合に、前記空調装置に対して、前記モータファンの回転速度を第１所定回転速度以下とする第１風量設定と、
を行うことを特徴とする音響装置。
【請求項２】
前記制御手段は、
前記第２判定の結果が否定的であった場合に、前記再生音声が、前記第１所定音量よりも低い第２所定音量以下であるか否かを判定する第３判定と、
前記第３判定の結果が肯定的であった場合に、前記第１取得手段により取得された前記調整設定温度及び前記音場空間の気温に基づいて、前記モータファンの回転速度を増加させることが望ましいか否かを判定する第４判定と、
前記第４判定の結果が肯定的であった場合に、前記モータファンの回転速度を増加させる第２風量設定と、
を更に行うことを特徴とする請求項１に記載の音響装置。
【請求項３】
無音化指令に従って、前記再生音声を無音化する無音化手段を更に備え、
前記制御手段は、前記第１判定の結果が肯定的であった場合に、
前記再生音声が第３所定音量以下であるか否かを判定する第５判定と、
前記第５判定の結果が肯定的であった場合に、前記無音化手段に対する前記無音化指令の発行と、
を更に行うことを特徴とする請求項１又は２に記載の音響装置。
【請求項４】
前記第１取得手段は、前記音場空間の気温を検出する温度検出手段を備える、ことを特徴とする請求項１〜３のいずれか一項に記載の音響装置。
【請求項５】
前記第１取得手段は、前記発生音量を検出する音量検出手段を備える、ことを特徴とする請求項１〜４のいずれか一項に記載の音響装置。
【請求項６】
前記第１取得手段は、前記調整設定温度、前記発生音量と相関のある情報、及び、前記音場空間の気温を、前記空調装置から取得する、ことを特徴とする請求項１〜３のいずれか一項に記載の音響装置。
【請求項７】
空調装置の調整設定温度、前記空調装置によって温度調整を含む雰囲気調整が行われる音場空間に対する発生音量又は前記発生音量と相関のある情報、及び、前記音場空間の気温を取得する第１取得手段と；前記再生音声の音量を取得する第２取得手段と；を備え、前記音場空間へ再生音声を出力する音響装置において使用される聴取音声制御方法であって、
前記第１取得手段により取得された前記調整設定温度と前記音場空間の気温との差が所定の温度差以上であるか否かを判定する第１判定工程と；
前記第１判定工程における判定の結果が否定的であった場合に、前記再生音声が第１所定音量以上であるか否かを判定する第２判定工程と；
前記第２判定工程における判定の結果が肯定的であった場合に、前記空調装置に対して、モータファンの回転速度を所定回転速度以下とする風量設定行う風量設定工程と；
を備えることを特徴とする聴取音声制御方法。
【請求項８】
請求項７に記載の聴取音声制御方法を演算手段に実行させる、ことを特徴とする聴取音声制御プログラム。
【請求項９】
請求項８に記載の聴取音声制御プログラムが、演算手段により読み取り可能に記録されている、ことを特徴する記録媒体。
【発明の詳細な説明】
【技術分野】
【０００１】
本発明は、音響装置、聴取音声制御方法及び聴取音声制御プログラム、並びに当該聴取音声制御プログラムが記録された記録媒体に関する。
【背景技術】
【０００２】
従来から、音声コンテンツを再生し、スピーカから再生音声を出力する音響装置が広く普及している。これにより、家庭内空間や車両内空間において、様々な再生音声を聴取できるようになっている。
【０００３】
ところで、スピーカが再生音声を出力する家庭内空間や車両内空間である音場空間は、聴取者が滞在する空間でもあるため、聴取者の快適性を確保するために、空調装置による気温等の雰囲気の調整対象である場合が多い。こうした空調装置による雰囲気の調整動作に際しては、排気や吸気のためのモータファンが動作するため、モータファンの動作音も音場空間に放出されるのが、通常である。こうしたモータファンの動作音は、音声コンテンツの再生音声の聴取にとっては、雑音となることがある。
【０００４】
そこで、音場空間における再生音声の可聴性を確保するための技術が提案されている（特許文献１参照：以下、「従来例」という）。この従来例の技術では、再生音声の音量（以下、「再生音量」とも呼ぶ）を検出する。そして、再生音量が小さくなるほどモータファンの回転速度を遅くするとともに、再生音量が大きくなるほどモータファンの回転速度を速くすることにより、再生音量の可聴性を確保するようになっている。
【先行技術文献】
【特許文献】
【０００５】
【特許文献１】特開平９−２６４５９５号公報
【発明の概要】
【発明が解決しようとする課題】
【０００６】
上述した従来例の技術では、再生音声の可聴性の確保は可能であるが、再生音声に込めた音声コンテンツの作成者の演出意図を反映できない場合がある。例えば、再生コンテンツが楽曲である場合に、当該作成者にとっては、聞かせ所であるいわゆる「サビ」の部分は、雑音が極力小さい状態で聴取者に聞かせたい部分であり、一般に再生音量が大きくなる。また、聴取者にとっても、「サビ」の部分は、雑音が極力小さい状態で聞きたい部分である。しかしながら、従来の技術では、再生音量が大きくなると、モータファンの回転数を速くする制御が行われるので、雑音が大きくなってしまう。
【０００７】
一方、聴取者の滞在空間の雰囲気が、聴取者にとって非常に不快な状態である場合には、空調装置による雰囲気調整を急ぐべきである。例えば、聴取者にとっての快適気温が約２５℃程度であり、空調装置に対する調整目標温度が２５℃に設定されている場合に、実際の雰囲気温度が４０℃の場合には、モータファンの回転数が速くなり、雑音音量が大きくなるが、モータファンの回転数を速くして空調装置による冷房を急ぐべきである。
【０００８】
このため、再生音声の内容及び空調装置による雰囲気調整の緊急度を考慮して、聴取者に再生音声を提供できる技術が望まれている。かかる要請に応えることが、本発明が解決すべき課題の一つとして挙げられる。
【０００９】
本発明は、上記の事情を鑑みてなされたものであり、再生音声の音量と空調装置の発生音の音量との調和を合理的に図ることができる音響装置及び聴取音声制御方法を提供することを目的とする。
【課題を解決するための手段】
【００１０】
請求項１に記載の発明は、空調装置によって温度調整を含む雰囲気調整が行われる音場空間へ再生音声を出力する音響装置であって、前記空調装置の調整設定温度、前記空調装置の前記音場空間に対する発生音量又は前記発生音量と相関のある情報、及び、前記音場空間の気温を取得する第１取得手段と；前記再生音声の音量を取得する第２取得手段と；前記第１及び第２取得手段による取得結果に基づいて、前記空調装置において風量調節を行うモータファンの回転速度の制御を行う制御手段と；を備え、前記制御手段は、前記第１取得手段により取得された前記調整設定温度と前記音場空間の気温との差が所定の温度差以上であるか否かを判定する第１判定と、前記第１判定の結果が否定的であった場合に、前記再生音声が第１所定音量以上であるか否かを判定する第２判定と、前記第２判定の結果が肯定的であった場合に、前記空調装置に対して、前記モータファンの回転速度を第１所定回転速度以下とする第１風量設定と、を行うことを特徴とする音響装置である。
【００１１】
請求項７に記載の発明は、空調装置の調整設定温度、前記空調装置によって温度調整を含む雰囲気調整が行われる音場空間に対する発生音量又は前記発生音量と相関のある情報、及び、前記音場空間の気温を取得する第１取得手段と；前記再生音声の音量を取得する第２取得手段と；を備え、前記音場空間へ再生音声を出力する音響装置において使用される聴取音声制御方法であって、前記第１取得手段により取得された前記調整設定温度と前記音場空間の気温との差が所定の温度差以上であるか否かを判定する第１判定工程と；前記第１判定工程における判定の結果が否定的であった場合に、前記再生音声が第１所定音量以上であるか否かを判定する第２判定工程と；前記第２判定工程における判定の結果が肯定的であった場合に、前記空調装置に対して、モータファンの回転速度を所定回転速度以下とする風量設定行う風量設定工程と；を備えることを特徴とする聴取音声制御方法である。
【００１２】
請求項８に記載の発明は、請求項７に記載の聴取音声制御方法を演算手段に実行させる、ことを特徴とする聴取音声制御プログラムである。
【００１３】
請求項９に記載の発明は、請求項８に記載の聴取音声制御プログラムが、演算手段により読み取り可能に記録されている、ことを特徴する記録媒体である。
【図面の簡単な説明】
【００１４】
【図１】本発明の一実施形態に係る音響装置の構成を示すブロック図である。
【図２】図１の装置による風量設定が行われていない場合における、設定温度（ＴＧＴ）と検出気温（ＳＰＴ）との差の絶対値（ΔＴ）と、風量（ＲＳ）との関係を説明するための図である。
【図３】風量（ＲＳ）と空調発生音量（ＣＡＶ）との関係を説明するための図である。
【図４】図１の装置における聴取音声制御処理を説明するためのフローチャートである。
【図５】図４の大再生音量時処理を説明するためのフローチャートである。
【図６】図４の小再生音量時処理を説明するためのフローチャートである。
【図７】図６のミュート処理を説明するためのフローチャートである。
【発明を実施するための形態】
【００１５】
以下、本発明の一実施形態を、図１〜図７を参照して説明する。なお、以下の説明及び図面においては、同一又は同等の要素には同一符号を付し、重複する説明を省略する。
【００１６】
［構成］
図１には、一実施形態に係る音響装置１００の構成がブロック図にて示されている。
【００１７】
図１に示されるように、音響装置１００は、音源部１１０と、第２取得手段としての音声信号処理部１２０と、無音化手段としてのミュート処理部１３０と、スピーカ部１４０とを備えている。また、音響装置１００は、表示部１５０と、操作入力部１６０と、第１取得手段の一部である温度検出手段としての温度検出部１７０と、第１取得手段の一部である音量検出手段としての収音部１８０とを備えている。さらに、音響装置１００は、第１取得手段の一部としての空調通信部１８５と、制御手段としての制御部１９０とを備えている。
【００１８】
上記の音源部１１０は、制御部１９０からの読取指令ＣＴＣによる制御のもとで、音声コンテンツ信号ＣＴＳを出力する。こうして音源部１１０から出力された音声コンテンツ信号ＣＴＳは、音声信号処理部１２０へ送られる。
【００１９】
なお、例えば、音響装置１００が、ＤＶＤ（Digital Versatile Disk）等の記録媒体に記録された音声コンテンツを再生する装置である場合には、音源部１１０は、当該記録媒体から音声コンテンツを読み取る読取手段を備える。また、音響装置１００が、放送波の受信により取得した音声コンテンツを再生する装置である場合には、音源部１１０は、放送波の受信結果から音声コンテンツを抽出するコンテンツ抽出手段を備えることになる。
【００２０】
上記の音声信号処理部１２０は、音源部１１０からの音声コンテンツ信号ＣＴＳを受ける。そして、音声信号処理部１２０は、音声コンテンツ信号ＣＴＳに対して、予め定められた信号処理を施して、再生音声信号ＲＡＳを生成する。こうして生成された再生音声信号ＲＡＳは、ミュート処理部１３０へ送られる。
【００２１】
また、音声信号処理部１２０は、再生音声信号ＲＡＳの信号レベルを検出する。この検出結果は、再生音量ＲＡＶとして、制御部１９０へ報告される。
【００２２】
上記のミュート処理部１３０は、音声信号処理部１２０からの再生音声信号ＲＡＳを受ける。そして、ミュート処理部１３０は、制御部１９０からのミュート制御指令ＭＴＣに従って、再生音声信号ＲＡＳ又は無音信号を、出力音声信号ＡＯＳとして、スピーカ部１４０へ向けて出力する。
【００２３】
すなわち、ミュート制御指令ＭＴＣによりミュート設定が指定されている場合には、ミュート処理部１３０は、無音信号を、出力音声信号ＡＯＳとして、スピーカ部１４０へ向けて出力する。一方、ミュート制御指令ＭＴＣによりミュート解除設定が指定されている場合には、ミュート処理部１３０は、再生音声信号ＲＡＳを、出力音声信号ＡＯＳとして、スピーカ部１４０へ向けて出力する。
【００２４】
上記のスピーカ部１４０は、ミュート処理部１３０からの出力音声信号ＡＯＳを受ける。そして、スピーカ部１４０は、出力音声信号ＡＯＳに従って、音声を音場空間へ向けて再生出力する。
【００２５】
上記の表示部１５０は、例えば、（ｉ）液晶パネル、有機ＥＬ（Electro Luminescence）パネル、ＰＤＰ（Plasma Display Panel）等の表示デバイスと、（ii）制御部１９０による表示制御に従って、表示部１５０全体の制御を行うグラフィックレンダラ等の表示コントローラと、（iii）表示画像データを記憶する表示画像メモリ等を備えて構成されている。この表示部１５０は、制御部１９０からの表示データＩＭＤに従って、操作ガイダンス情報等を表示する。
【００２６】
上記の操作入力部１６０は、音響装置１００の本体部に設けられたキー部、及び／又はキー部を備えるリモート入力装置等により構成される。ここで、本体部に設けられたキー部としては、表示部１５０の表示デバイスに設けられたタッチパネルを用いることができる。なお、キー部を有する構成に代えて、又は併用して音声認識技術を利用して音声にて入力する構成を採用することもできる。
【００２７】
この操作入力部１６０を利用者が操作することにより、音響装置１００の動作内容の設定が行われる。例えば、音声コンテンツの再生指令等の利用者による入力が、操作入力部１６０を利用して行われる。こうした入力内容は、操作入力データＩＰＤとして、操作入力部１６０から制御部１９０へ向けて送られる。
【００２８】
上記の温度検出部１７０は、温度センサを備えて構成され、音場空間における気温を検出する。温度検出部１７０による検出気温ＳＰＴは、制御部１９０へ送られる。
【００２９】
上記の収音部１８０は、マイクロフォンを備えて構成され、当該マイクロフォンに到達した音を収音する。収音部１８０による収音結果ＡＡＶは、制御部１９０へ送られる。
【００３０】
上記の空調通信部１８５は、制御部１９０と空調装置９００との間における通信に利用される。空調通信部１８５は、予め定められた通信プロトコルに従って、信号変換（シリアル／パラレル変換等）や、到達確認等を行う。この空調通信部１８５を介して、制御部１９０は、空調装置９００における設定温度ＴＧＴ及び風量ＲＳを収集する。また、空調通信部１８５を介して、制御部１９０は、風量値を指定した動作態様指令ＦＮＣを空調装置９００へ送る。
【００３１】
次に、上記の制御部１９０について説明する。この制御部１９０は、音響装置１００の全体の動作を制御する。
【００３２】
制御部１９０は、操作入力部１６０に入力された指令に基づいて、音源部１１０及び表示部１５０を制御する。すなわち、制御部１９０は、再生する音声コンテンツの選択のための操作ガイダンス情報を表示部１５０に表示させる。そして、利用者が操作入力部１６０に音声コンテンツを指定して入力した再生指令を受けると、制御部１９０は、読取指令ＣＴＣを音源部１１０へ向けて発行し、音声コンテンツ信号ＣＴＳの読み取りを制御する。
【００３３】
また、制御部１９０は、音声信号処理部１２０からの再生音量ＲＡＶ、温度検出部１７０からの検出気温ＳＰＴ、並びに空調通信部１８５を介して収集した空調装置９００における設定温度ＴＧＴ及び風量ＲＳに基づいて、空調装置９００へ動作態様指令ＦＮＣを送るとともに、ミュート処理部１３０に対してミュート制御指令ＭＴＣを発行し、聴取音声制御を行う。かかる制御部１９０による聴取音声制御については、後述する。
【００３４】
また、制御部１９０は、聴取音声制御に先立って、音声信号処理部１２０からの再生音量ＲＡＶと、スピーカ部１４０から再生出力された音声の音場空間における音量との関係である第１音量関係を求める。かかる第１音量関係を求める際には、空調装置９００等が動作していない状態で、音声コンテンツの再生出力音声を収音部１８０で収集する。そして、制御部１９０は、収音部１８０による収集結果ＡＡＶと、再生音量ＲＡＶとの対応関係を求めるようになっている。
【００３５】
なお、空調装置９００は、音響装置１００とは独立して設定された設定温度と、独自に検出した音場空間の気温との差に基づいて、音場空間の気温を、設定温度とすべく動作するようになっている。
【００３６】
また、制御部１９０は、聴取音声制御に先立って、空調装置９００の発生する音量である空調発生音量ＣＡＶ（後述する図３参照）と、空調装置９００の風量ＲＳとの関係である第２音量関係を求める。ここで、空調装置９００では、制御部１９０による風量設定がなされていない場合には、設定温度ＴＧＴと、音場空間の雰囲気温度である検出気温ＳＰＴとの差の絶対値である温度差ΔＴ（＝｜ＴＧＴ−ＳＰＴ｜）に対応して、風量ＲＳ、すなわち、空調装置９００内のモータファンの回転速度の制御を含む空調動作態様の制御がなされるようになっている。
【００３７】
温度差ΔＴと風量ＲＳとの関係では、温度差ΔＴが大きなほど、空調装置９００におけるモータファンの回転数が速くなり、風量ＲＳが多くなるようになっている。かかる温度差ΔＴと風量ＲＳとの関係の一例が、図２に示されている。なお、本実施形態においては、図２に示されるように、温度差ΔＴが値ΔＴｊ（ｊ＝１〜５）である場合に、制御部１９０による風量設定がなされない限り、風量値ＲＳｊとなるようになっている。本実施形態においては、温度差ΔＴが値ΔＴ５以上である場合には、再生音声の聴取の快適さよりも、音場空間の雰囲気温度の調整を急ぐべき状態となっているものとする。
【００３８】
なお、制御部１９０は、温度差ΔＴと風量ＲＳとの関係については、空調装置９００の動作中に空調通信部１８５をして収集された設定温度ＴＧＴ及び風量ＲＳ、並びに温度検出部１７０からの検出気温ＳＰＴに基づいて求めるようになっている。
【００３９】
そして、図３に示されるように、風量ＲＳが大きくなるほど、空調発生音量ＣＡＶが大きくなる。なお、本実施形態においては、風量ＲＳが風量値ＲＳｊ（ｊ＝１〜５）である場合に、空調発生音量値ＣＡＶｊとなるようになっている。
【００４０】
なお、本実施形態においては、制御部１９０は、動作態様指令ＦＮＣを発行することにより、空調装置９００に対して、風量値ＲＳｊ（ｊ＝１〜５）のそれぞれを指定できるようになっている。そして、空調装置９００では、指定された風量値に対応する回転速度でモータファンが回転する。
【００４１】
第２音量関係を求める際には、音声の再生出力がなされていない状態で、制御部１９０が、風量値ＲＳｊ（ｊ＝１〜５）のそれぞれを指定した動作態様指令ＦＮＣを発行し、空調発生音を収音部１８０で収集する。そして、制御部１９０は、収音部１８０による収集結果ＡＡＶと、風量ＲＳとの対応関係を求めるようになっている。
【００４２】
こうして求められた第１及び第２音量関係、並びに温度差ΔＴと風量ＲＳとの関係に基づいて、以下の再生音量値ＲＡＶ１〜３を決定する。ここで、再生音量値ＲＡＶ１は、空調発生音量ＣＡＶがある程度以上である場合に、聴取者が再生音声を殆ど聞き取ることができなくなる再生音量である。なお、本実施形態では、再生音量値ＲＡＶ１は、空調発生音量が値ＣＡＶ４以上である場合について定められるようになっている。
【００４３】
また、再生音量値ＲＡＶ２は、聴取者が特に明瞭に再生音声を聴取したい部分には対応せず、空調発生音量ＣＡＶが大きくなっても、不快感を抱かないと考えられる音量の上限値である。また、再生音量値ＲＡＶ３は、聴取者が特に明瞭に再生音声を聴取したいと考えられる部分に対応する音量の下限値である。
【００４４】
なお、再生音量値ＲＡＶ１〜３は、実験、シミュレーション、経験等に基づいて、所定のアルゴリズムに基づいて決定される。
【００４５】
［動作］
次に、上記のように構成された音響装置１００の動作について、空調装置９００により雰囲気温度が調整される音場空間における聴取音声制御処理に主に着目して説明する。
【００４６】
前提として、上述した第１及び第２音量関係、並びに温度差ΔＴと風量ＲＳとの関係は求められており、さらに、再生音量値ＲＡＶ１〜３は既に決定されているものとする。また、操作入力部１６０に入力された指令に基づいて、音源部１１０から音声コンテンツ信号ＣＴＳが読み取られ、スピーカ部１４０からの再生音声の出力処理が行われているものとする。
【００４７】
なお、当初においては、制御部１９０からは、ミュート処理部１３０に対して、ミュート解除指定が行われているものとする。
【００４８】
聴取音声制御処理に際しては、図４に示されるように、まず、ステップＳ１１において、制御部１９０が、温度差ΔＴが値ΔＴ１以下であるか否かを判定する。かかる判定に際して、制御部１９０は、空調装置９００から設定温度ＴＧＴを収集するとともに、温度検出部１７０から報告された検出気温ＳＰＴを収集する。引き続き、制御部１９０は、設定温度ＴＧＴと検出気温ＳＰＴとの差の絶対値を算出することにより、温度差ΔＴを算出する。そして、制御部１９０は、温度差ΔＴが値ΔＴ１以下であるか否かを判定することにより、空調装置９００に対する風量制御及びミュート処理部１３０に対するミュート設定が不必要であるか否かを判定する。
【００４９】
ステップＳ１１における判定の結果が肯定的であった場合（ステップＳ１１：Ｙ）には、ステップＳ１１の処理が繰り返される。一方、ステップＳ１１における判定の結果が否定的であった場合（ステップＳ１１：Ｎ）には、処理はステップＳ１２へ進む。
【００５０】
ステップＳ１２においては、制御部１９０が、温度差ΔＴが値ΔＴ５以上であるか否かを判定することにより、再生音声の聴取の快適さよりも、音場空間の雰囲気温度の調整を急ぐべき状態となっているか否かを判定する。この判定の結果が否定的であった場合（ステップＳ１２：Ｎ）には、処理はステップＳ１３へ進む。
【００５１】
ステップＳ１３においては、制御部１９０は、音声信号処理部１２０から報告されている再生音量ＲＡＶが再生音量値ＲＡＶ３以上であるか否かを判定することにより、聴取者が特に明瞭に再生音声を聴取したい部分が再生中であるか否かを判定する。この判定の結果が肯定的であった場合（ステップＳ１３：Ｙ）には、処理はステップＳ１４へ進む。
【００５２】
ステップＳ１４においては、大再生音量時処理が行われる。この大再生音量時処理では、図５に示されるように、まず、ステップＳ２１において、制御部１９０が、新たに空調装置９００から設定温度ＴＧＴを収集するとともに、温度検出部１７０から報告された検出気温ＳＰＴを収集する。そして、制御部１９０は、当該新たに収集された設定温度ＴＧＴ及び検出気温ＳＰＴに基づいて、温度差ΔＴが値ΔＴ５未満である状態が維持されているか否かを判定する。この判定の結果が肯定的であった場合（ステップＳ２１：Ｙ）には、処理はステップＳ２２へ進む。
【００５３】
ステップＳ２２においては、制御部１９０が、新たに音声信号処理部１２０から報告されている再生音量ＲＡＶを収集する。そして、制御部１９０は、再生音量ＲＡＶが再生音量値ＲＡＶ３以上である状態が維持されているか否かを判定する。この判定の結果が肯定的であった場合（ステップＳ２２：Ｙ）の場合には、処理はステップＳ２３へ進む。
【００５４】
ステップＳ２３においては、制御部１９０が、風量値ＲＳ１を指定した動作態様指令ＦＮＣの発行により風量抑制中であるか否かを判定することにより、空調発生音量ＣＡＶが空調発生音量値ＣＡＶ１に抑制されているか否かを判定する（図３参照）。この判定の結果が肯定的であった場合（ステップＳ２３：Ｙ）には、処理はステップＳ２１へ戻る。
【００５５】
ステップＳ２３における判定の結果が否定的であった場合（ステップＳ２３：Ｎ）には、処理はステップＳ２４へ進む。このステップＳ２４では、制御部１９０が、風量値ＲＳ１を指定した動作態様指令ＦＮＣを、空調装置９００に対して発行する。この結果、空調発生音量ＣＡＶが空調発生音量値ＣＡＶ１に抑制され、聴取者にとって再生音声が明瞭に聴取できる状態が実現される。
【００５６】
この後、処理はステップＳ２１へ戻る。以後、ステップＳ２１又はステップＳ２２における判定の結果が否定的となるまで、ステップＳ２１〜Ｓ２３の処理が繰り返される。
【００５７】
再生音声の聴取の快適さよりも、音場空間の雰囲気温度の調整を急ぐべき状態となり、ステップＳ２１における判定の結果が否定的となった場合（ステップＳ２１：Ｎ）、又は、聴取者が特に明瞭に再生音声を聴取したいと考えられる部分ではない部分の再生状態となり、ステップＳ２２における判定の結果が否定的となった場合（ステップＳ２２：Ｎ）には、処理はステップＳ２５へ進む。このステップＳ２５では、上述したステップＳ２３と同様に、風量抑制中であるか否かを判定する。
【００５８】
ステップＳ２５における判定の結果が肯定的であった場合（ステップＳ２５：Ｙ）には、処理はステップＳ２６へ進む。このステップＳ２６では、制御部１９０が、風量設定の解除を指定した動作態様指令ＦＮＣを、空調装置９００に対して発行する。この結果、空調装置９００は、制御部１９０による風量設定が行われていない場合の動作に復帰する。そして、ステップＳ１４の処理が終了する。一方、ステップＳ２５における判定の結果が否定的であった場合（ステップＳ２５：Ｎ）には、ステップＳ１４の処理が直ちに終了する。
【００５９】
ステップＳ１４の処理が終了すると、処理は図４のステップＳ１１へ戻る。
【００６０】
上述したステップＳ１２における判定の結果が肯定的であった場合（ステップＳ１２：Ｙ）、又は、ステップＳ１３における判定の結果が否定的であった場合（ステップＳ１３：Ｎ）には、処理はステップＳ１５へ進む。このステップＳ１５では、制御部１９０が、新たに音声信号処理部１２０から報告されている再生音量ＲＡＶを収集する。そして、制御部１９０は、再生音量ＲＡＶが再生音量値ＲＡＶ２未満であるか否かを判定することにより、再生音声が、聴取者にとって特に明瞭に再生音声を聴取したい部分には対応せず、空調発生音量ＣＡＶが大きくても、不快感を抱かないと考えられるか否かを判定する。この判定の結果が否定的であった場合（ステップＳ１５：Ｎ）には、処理はステップＳ１１へ戻る。
【００６１】
一方、ステップＳ１５における判定の結果が肯定的であった場合（ステップＳ１５：Ｙ）には、処理はステップＳ１６へ進む。このステップＳ１６では、小再生音量時処理が行われる。
【００６２】
小再生音量時処理では、図６に示されるように、まず、ステップＳ３１において、制御部１９０が、新たに空調装置９００から設定温度ＴＧＴを収集するとともに、温度検出部１７０から報告された検出気温ＳＰＴを収集する。そして、制御部１９０は、当該新たなに収集された設定温度ＴＧＴ及び検出気温ＳＰＴに基づいて、温度差ΔＴが値ΔＴ１より大きな状態が維持されているか否かを判定する。この判定の結果が肯定的であった場合（ステップＳ３１：Ｙ）には、処理はステップＳ３２へ進む。
【００６３】
ステップＳ３２においては、制御部１９０が、新たに音声信号処理部１２０から報告されている再生音量ＲＡＶを収集する。そして、制御部１９０は、再生音量ＲＡＶが再生音量値ＲＡＶ２未満である状態が維持されているか否かを判定する。この判定の結果が肯定的であった場合（ステップＳ３２：Ｙ）の場合には、処理はステップＳ３３へ進む。
【００６４】
ステップＳ３３においては、制御部１９０が、動作態様指令ＦＮＣの発行により風量増強中であるか否かを判定する。この判定の結果が否定的であった場合（ステップＳ３３：Ｎ）には、処理はステップＳ３４へ進む。
【００６５】
ステップＳ３４においては、制御部１９０が、新たに空調装置９００から風量ＲＳを収集する。この収集結果と、現時点の温度差ΔＴとに基づいて、現時点の風量ＲＳよりも風量を増強させるために動作態様指令ＦＮＣにおいて指定すべき風量値（例えば、風量ＲＳが風量値ＲＳ２以上風量値ＲＳ３未満の場合には、風量値ＲＳ３，ＲＳ４，ＲＳ５のいずれか）を決定する。
【００６６】
かかる決定に際しては、現時点の温度差ΔＴが小さい場合には、風量増強の度合いを小さくするとともに、現時点の温度差ΔＴが大きい場合には、風量増強の度合いを大きくする。こうした風量増強量の決定のアルゴリズムは、検出気温ＳＰＴを設定温度ＴＧＴに迅速に近付ける観点と、空調装置９００の消費電力の抑制の観点とから、実験、シミュレーション、経験等に基づいて、予め定められる。
【００６７】
上述のようにして、指定すべき風量値が決定されると、制御部１９０は、当該風量値を指定した動作態様指令ＦＮＣを、空調装置９００に対して発行する。なお、現時点の風量ＲＳが風量値ＲＳ５であった場合には、制御部１９０による風量増強の設定ができないので、ステップＳ３４においては、動作態様指令ＦＮＣの発行による風量増強設定は行われないようになっている。
【００６８】
以上のようにしてステップＳ３４の処理が終了すると、処理はステップＳ３５へ進む。また、上述のステップＳ３３における判定の結果が肯定的であった場合（ステップＳ３３：Ｙ）にも、処理はステップＳ３５へ進む。
【００６９】
ステップＳ３５においては、ミュート処理が行われる。このミュート処理に際しては、図７に示されるように、まず、ステップＳ４１において、制御部１９０が、新たに空調装置９００から風量ＲＳを収集する。そして、制御部１９０は、新たに収集された風量ＲＳが風量値ＲＳ４以上であるか否かを判定することにより、空調発生音量が空調発生音量値ＣＡＶ４以上であるか否かを判定する（図３参照）。この判定の結果が肯定的であった場合（ステップＳ４１：Ｙ）には、処理はステップＳ４２へ進む。
【００７０】
ステップＳ４２においては、制御部１９０が、新たに空調装置９００から設定温度ＴＧＴを収集するとともに、温度検出部１７０から報告された検出気温ＳＰＴを収集する。そして、制御部１９０は、当該新たに収集された設定温度ＴＧＴ及び検出気温ＳＰＴに基づいて、温度差ΔＴが値ΔＴ１より大きな状態が維持されているか否かを判定する。この判定の結果が肯定的であった場合（ステップＳ４２：Ｙ）には、処理はステップＳ４３へ進む。
【００７１】
ステップＳ４３においては、制御部１９０が、新たに音声信号処理部１２０から報告されている再生音量ＲＡＶを収集する。そして、制御部１９０は、再生音量ＲＡＶが再生音量値ＲＡＶ１未満である状態が維持されているか否かを判定することにより、聴取者が再生音声を殆ど聞き取ることができない状態であるか否かを判定する。この判定の結果が肯定的であった場合（ステップＳ４３：Ｙ）の場合には、処理はステップＳ４４へ進む。
【００７２】
ステップＳ４４においては、制御部１９０が、ミュート設定を指定したミュート制御指令ＭＴＣの発行により、ミュート処理部１３０がミュート設定中であるか否かを判定する。この判定の結果が肯定的であった場合（ステップＳ４４：Ｙ）には、処理はステップＳ４１へ戻る。
【００７３】
ステップＳ４４における判定の結果が否定的であった場合（ステップＳ４４：Ｎ）には、処理はステップＳ４５へ進む。このステップＳ４５では、制御部１９０が、ミュート設定を指定したミュート制御指令ＭＴＣを、ミュート処理部１３０に対して発行する。この結果、ミュート処理部１３０はミュート処理を行い、出力音声信号ＡＯＳとして、無音信号をスピーカ部１４０へ向けて出力する。
【００７４】
この後、処理はステップＳ４１へ戻る。以後、ステップＳ４１〜Ｓ４３のいずれかで否定的な判定がなさるまで、ステップＳ４１〜Ｓ４４の処理が繰り返される。
【００７５】
空調発生音量が、空調発生音量値ＣＡＶ４未満となることにより、再生音声の聴取がある程度以上可能な状態となり、ステップＳ４１における判定の結果が否定的となった場合（ステップＳ４１：Ｎ）、上述した風量増強の目的であった検出気温ＳＰＴの設定温度ＴＧＴへの調整が進んだ状態となり、ステップＳ４２における判定の結果が否定的となった場合（ステップＳ４２：Ｎ）、又は、再生音量がある程度大きくなることにより、再生音声の聴取がある程度以上可能な状態となり、ステップＳ４３における判定の結果が否定的となった場合（ステップＳ４３：Ｎ）には、処理はステップ４６へ進む。このステップＳ４６では、上述したステップＳ４４と同様に、ミュート設定中であるか否かを判定する。
【００７６】
ステップＳ４６における判定の結果が肯定的であった場合（ステップＳ４６：Ｙ）には、処理はステップＳ４７へ進む。このステップＳ４７では、制御部１９０が、ミュート解除設定を指定したミュート制御指令ＭＴＣを、ミュート処理部１３０に対して発行する。このミュート制御指令ＭＴＣを受けると、ミュート処理部１３０は、ミュート処理を終了する。この結果、ミュート処理部１３０は、再生音声信号ＲＡＳを、出力音声信号ＡＯＳとして、スピーカ部１４０へ向けて出力する。そして、ステップＳ３５の処理が終了する。一方、ステップＳ４６における判定の結果が否定的であった場合（ステップＳ４６：Ｎ）には、ステップＳ３５の処理が直ちに終了する。
【００７７】
ステップＳ４６の処理が終了すると、処理は図６のステップＳ３１へ戻る。以後、ステップＳ３１，Ｓ３２のいずれかにおいて否定的な判定がなされるまで、ステップＳ３１〜Ｓ３５の処理が繰り返される。
【００７８】
検出気温ＳＰＴの設定温度ＴＧＴへの調整が進んだ状態となり、ステップＳ３１における判定の結果が否定的となった場合（ステップＳ３１：Ｎ）、又は、再生音量ＲＡＶが再生音量値ＲＡＶ２以上となり、再生音声の聴取に際して空調発生音が聴取者にとって気になる状態となり、ステップＳ３２における判定の結果が否定的となった場合（ステップＳ３２：Ｎ）には、処理はステップＳ３６へ進む。このステップＳ３６では、上述したステップＳ３３と同様に、風量増強中であるか否かを判定する。
【００７９】
ステップＳ３６における判定の結果が肯定的であった場合（ステップＳ３６：Ｙ）には、処理はステップＳ３７へ進む。このステップＳ３７では、制御部１９０が、風量設定の解除を指定した動作態様指令ＦＮＣを、空調装置９００に対して発行する。この結果、空調装置９００は、制御部１９０による風量設定が行われていない場合の動作に復帰する。そして、ステップＳ１６の処理が終了する。一方、ステップＳ３６における判定の結果が否定的であった場合（ステップＳ３６：Ｎ）には、ステップＳ１６の処理が直ちに終了する。
【００８０】
ステップＳ１６の処理が終了すると、処理は図４のステップＳ１１へ戻る。そして、上述したステップＳ１１〜Ｓ１６の処理が繰り返されることにより、聴取音声制御処理が実行される。
【００８１】
以上の聴取音声制御処理の実行と並行して、音源部１１０から音声コンテンツ信号ＣＴＳが読み取られ、音声信号処理部１２０及びミュート処理部１３０による処理が施されて生成された出力音声信号ＡＯＳに基づく、スピーカ部１４０からの音声出力処理が行われる。
【００８２】
以上説明したように、本実施形態では、空調装置９００によって温度調整を含む雰囲気調整が行われる音場空間へ出力される再生音声の音量ＲＡＶが再生音量値ＲＡＶ３以上であり、聴取者が特に明瞭に再生音声を聴取したいと考えられる部分を再生出力している場合には、聴取者が滞在する音場空間の気温が、空調装置９００の設定温度と大きく異ならない限り、空調発生音の音量が抑制する制御を、制御部１９０が空調装置９００に対して行う。このため、空調装置９００の発生音量の必然性を考慮しつつ、聴取者が特に明瞭に再生音声を聴取したいと考えられる部分の再生音声を、極力明瞭な態様で聴取者に提供することができる。
【００８３】
また、本実施形態では、再生音声の音量ＲＡＶが再生音量値ＲＡＶ２未満であり、聴取者が特に明瞭に再生音声を聴取したい部分には対応せず、空調発生音ＣＡＶが大きくなっても、不快感を抱かないと考えられる場合には、空調発生音ＣＡＶの増大を伴う風量の増大を伴う空調動作の増強制御を、制御部１９０が空調装置９００に対して行う。このため、聴取者が不快感を抱かせることなく、空調装置９００による空調動作を促進させることができる。
【００８４】
また、本実施形態では、再生音声の音量ＲＡＶが再生音量値ＲＡＶ１未満であり、かつ、空調発生音ＣＡＶが空調発生音値ＣＡＶ４以上であることにより、聴取者にとって再生音声が殆ど聞き取れない場合には、ミュート処理を実行させる制御を、制御部１９０がミュート処理部１３０に対して行う。このため、聴取者にとって再生音声が殆ど聞き取れない場合におけるスピーカの駆動に伴う電力消費を削減することができる。
【００８５】
したがって、本実施形態によれば、再生音声の音量と空調装置の発生音の音量との調和を合理的に図ることができる。
【００８６】
［実施形態の変形］
本発明は、上記の実施形態に限定されるものではなく、様々な変形が可能である。
【００８７】
例えば、上記の実施形態では、制御部１９０が、５段階で空調装置９００の動作態様の制御を行うようにしたが、複数である任意の数の段階で空調装置９００の動作態様の制御を行うようにしてもよい。
【００８８】
また、上記の実施形態では、制御部１９０が、空調装置９００から設定温度ＴＧＴと風量ＲＳとを収集するようにしたが、さらに音場空間の気温も空調装置９００から収集するようにしてもよい。この場合には、上記の実施形態における温度検出部１７０が不要となる。
【００８９】
また、上記の実施形態では、事前計測により、風量ＲＳと空調発生音量ＣＡＶとの関係を求めるようにしたが、音声の再生出力中の収音部１８０による収音結果を解析して、音声の再生出力中における空調発生音量ＣＡＶを直接的に収集するようにしてもよい。
【００９０】
また、上記の実施形態では、事前計測により、風量ＲＳと空調発生音量ＣＡＶとの関係を求めるようにしたが、当該事前計測を省略し、空調発生音量ＣＡＶと相関のある風量ＲＳにより空調発生音量ＣＡＶを推定するようにしてもよい。
【００９１】
また、上記の実施形態では、音響装置１００の実際の動作環境ごとの個別的な事前計測により、音声信号処理部１２０からの再生音量ＲＡＶと、音場空間における実際の再生音量との関係を求めるようにしたが、音場空間における実際の再生音量と再生音量ＲＡＶとの関係を予め推定しておき、当該個別的な事前計測を省略するようにしてもよい。
【００９２】
また、上記の実施形態では、制御部１９０は、風量抑制制御に加えて、風量増強制御及びミュート処理制御を行うようにしたが、風量増強制御及びミュート処理制御の少なくとも一方を行わないようにしてもよい。
【００９３】
ここで、制御部１９０が、ミュート処理制御を行わない場合には、音声信号処理部１２０からの再生音量ＲＡＶに代えて、音声の再生出力中の収音部１８０による収音結果を解析して得られる再生音量を使用するようにしてもよい。
【００９４】
また、上記の実施形態では、風量増強制御に際して参照する再生音量値ＲＡＶ２を、ミュート処理制御に際して参照する再生音量値ＲＡＶ１よりも大きくしたが、両者の大小関係は任意に定めることができる。
【００９５】
なお、上記の実施形態における制御部１９０を中央処理装置（ＣＰＵ：Central Processor Unit）等を備えるコンピュータシステムとして構成し、制御部１９０の機能を、プログラムの実行によって実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００９６】
１００  …  音響装置
１２０  …  音声信号処理部（第２取得手段）
１３０  …  ミュート処理部（無音化手段）
１７０  …  温度検出部（第１取得手段の一部（温度検出手段））
１８０  …  収音部（第１取得手段の一部（音量検出手段））
１８５  …  空調通信部（第１取得手段の一部）
１９０  …  制御部（制御手段）
９００  …  空調装置
【図１】
2010175085.tif 000003
【図２】
2010175085.tif 000004
【図３】
2010175085.tif 000005
【図４】
2010175085.tif 000006
【図５】
2010175085.tif 000007
【図６】
2010175085.tif 000008
【図７】
2010175085.tif 000009